(57)【要約】【課題】オプションが装着されていない状態におけるコストの優位性を十分に生かすことができる画像処理装置を提供する。【解決手段】ＨＤＤコントローラを備え、ＨＤＤコントローラによりＨＤＤに蓄積する画像データに画像処理を行う画像処理ＡＳＩＣを備えた着脱可能なオプション基板と、ＨＤＤおよびオプション基板が装着されていない場合に、画像データに画像処理を行うＳｃａｎｎｅｒ  ＡＳＩＣを備えることにより、ＨＤＤやオプション基板が装着されている状態と装着されていない状態とで複合機において行う画像処理を変えることができるので、ＨＤＤやオプション基板が装着されていない状態におけるコストの優位性を十分に生かすことができる。【選択図】図２
2010288010.tif 000002
【特許請求の範囲】
【請求項１】
画像データを蓄積する着脱可能な蓄積部と、
前記蓄積部への前記画像データの蓄積および前記蓄積部からの前記画像データの読出しを制御する蓄積制御部を備え、前記蓄積制御部により前記蓄積部に蓄積する前記画像データに画像処理を行う第１画像処理部を備えた着脱可能なオプション基板と、
前記第１画像処理部以外の別の画像処理部であって、前記蓄積部および前記オプション基板が装着されていない場合に、前記第１画像処理部の代わりに前記画像データに画像処理を行う第２画像処理部と、
を備えたことを特徴とする画像処理装置。
【請求項２】
前記第２画像処理部は、さらに、前記蓄積部が故障した場合に、前記第１画像処理部の代わりに前記画像データに画像処理を行うことを特徴とする請求項１に記載の画像処理装置。
【請求項３】
前記第２画像処理部は、さらに、消費電力を削減する省電力モードがオンされた場合、前記第１画像処理部の代わりに前記画像データに画像処理を行うことを特徴とする請求項１に記載の画像処理装置。
【請求項４】
前記蓄積部の故障時期を予測する予測手段をさらに備え、
前記第２画像処理部は、さらに、予測した前記蓄積部の故障時期が近い場合、前記第１画像処理部の代わりに前記画像データに画像処理を行うことを特徴とする請求項１に記載の画像処理装置。
【請求項５】
前記蓄積部への電源の供給を停止するオン／オフ手段をさらに備え、
前記第２画像処理部は、さらに、前記蓄積部への電源の供給が停止された場合、前記第１画像処理部の代わりに前記画像データに画像処理を行うことを特徴とする請求項１に記載の画像処理装置。
【請求項６】
前記蓄積部が故障した場合に、前記蓄積部の交換を促す通知手段をさらに備えたことを特徴とする請求項２に記載の画像処理装置。
【請求項７】
予測された前記蓄積部の故障時期が近い場合に、前記蓄積部の交換を促す通知手段をさらに備えたことを特徴とする請求項４に記載の画像処理装置。
【発明の詳細な説明】
【技術分野】
【０００１】
本発明は、オプションが着脱可能な画像処理装置に関する。
【背景技術】
【０００２】
近年、ＨＤＤ（Ｈａｒｄ  Ｄｉｓｋ  Ｄｒｉｖｅ）およびＨＤＤへの画像データの蓄積を制御するＨＤＤコントローラＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのオプションを着脱可能とすることにより、ＨＤＤやＨＤＤコントローラＡＳＩＣを備えている性能を重視したモデルとＨＤＤやＨＤＤコントローラＡＳＩＣを備えないコストを重視したモデルの両方に対応可能な画像処理装置が開発されている（特許文献１参照）。
【発明の概要】
【発明が解決しようとする課題】
【０００３】
しかしながら、上記特許文献１記載の画像処理装置によれば、オプションが画像処理装置に装着されている状態とオプションが装着されていない状態とで、画像処理装置において行う画像処理が変わらないため、オプションが装着されていない状態におけるコストの優位性を十分に生かすことができない、という課題がある。
【０００４】
また、性能を重視したモデルとコストを重視したモデルとの間で、画像処理装置において行う画像処理を変えるためには、モデルごとに異なる基板を設計しなければならない。さらに、市場においてＨＤＤや画像処理ＡＳＩＣなどのオプションを追加したモデルを作成するのは困難である。
【０００５】
本発明は、上記に鑑みてなされたものであって、オプションが装着されていない状態におけるコストの優位性を十分に生かすことができ、オプションを備える性能を重視したモデルと、オプションを備えないコストを重視したモデルと、を１つの基板で実現することができ、かつ市場においてオプションを容易に追加することができる画像処理装置を提供することを目的とする。
【課題を解決するための手段】
【０００６】
上述した課題を解決し、目的を達成するために、本発明は、画像データを蓄積する着脱可能な蓄積部と、前記蓄積部への前記画像データの蓄積および前記蓄積部からの前記画像データの読出しを制御する蓄積制御部を備え、前記蓄積制御部により前記蓄積部に蓄積する前記画像データに画像処理を行う第１画像処理部を備えた着脱可能なオプション基板と、前記第１画像処理部以外の別の画像処理部であって、前記蓄積部および前記オプション基板が装着されていない場合に、前記第１画像処理部の代わりに前記画像データに画像処理を行う第２画像処理部と、を備えたことを特徴とする。
【発明の効果】
【０００７】
本発明によれば、オプションが装着されている状態と装着されていない状態とで画像処理を変えることができるので、オプションが装着されていない状態におけるコストの優位性を十分に生かすことができる、という効果を奏する。また、本発明によれば、画像処理装置のモデルごとに画像処理を行う基板を設計する必要がなくなるので、オプションを備える性能を重視したモデルと、オプションを備えていないコストを重視したモデルと、を１つの基板で実現することができ、かつ市場においてオプションを容易に追加することができる、という効果を奏する。
【図面の簡単な説明】
【０００８】
【図１−１】図１−１は、第１実施の形態にかかる複合機のハードウェア構成を示すブロック図である。
【図１−２】図１−２は、第１実施の形態にかかる複合機のハードウェア構成を示すブロック図である。
【図２】図２は、オプション基板の着脱に応じて行われる画像処理の一例を示す説明図である。
【図３】図３は、オプション基板の着脱に応じて行われる画像処理の一例を示す説明図である。
【図４】図４は、ＨＤＤの故障の有無に応じて行われる画像処理の一例を示す説明図である。
【図５】図５は、ＨＤＤの故障の有無に応じて行われる画像処理の流れを示すフローチャートである。
【図６】図６は、省電力モードのオン／オフの設定に応じて行われる画像処理の一例を示す説明図である。
【図７】図７は、第４実施の形態にかかる複合機で実行されるプログラムのモジュール構成を示すブロック図である。
【図８】図８は、第５実施の形態にかかる複合機のハードウェア構成を示すブロック図である。
【図９】図９は、ＨＤＤへの電源の供給の停止に応じて行われる画像処理の一例を示す説明図である。
【図１０】図１０は、第６実施の形態にかかる複合機で実行されるプログラムのモジュール構成を示すブロック図である。
【発明を実施するための形態】
【０００９】
以下に添付図面を参照して、この発明にかかる画像処理装置の最良な実施の形態を詳細に説明する。なお、本実施の形態では、本発明の画像処理装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像処理装置であればいずれにも適用することができる。
【００１０】
（第１実施の形態）
図１−１および図１−２は、第１実施の形態にかかる複合機のハードウェア構成を示すブロック図である。この複合機１００は、コントローラ基板１０と、Ｅｎｇｉｎｅ２０と、操作部３０と、ＦＣＵ（Ｆａｘ  Ｃｏｎｔｒｏｌ  Ｕｎｉｔ）４０と、を備える。コントローラ基板１０は、複合機１００全体の制御と描画、通信、操作部３０からの入力を制御するコントローラである。
【００１１】
コントローラ基板１０は、オプション基板１２または画像データを通すだけ基板１３を着脱可能なコネクタ（図示しない）、ＣＰＵ（ＳｏＣ：Ｓｙｓｔｅｍ  Ｏｎ  ａ  Ｃｈｉｐ）１４、メモリ（Ｍｅｍｏｒｙ）１５、Ｅｔｈｅｒｎｅｔ（登録商標）１６、ＵＳＢ（Ｕｎｉｖｅｒｓａｌ  Ｓｅｒｉａｌ  Ｂｕｓ）１７、Ｆｌａｓｈ  Ｍｅｍｏｒｙ１８などを備える。
【００１２】
コネクタ（図示しない）は、オプション基板１２および画像データを通すだけの基板１３が着脱可能なものである。ここで、オプション基板１２は、画像データを蓄積する蓄積部であるＨＤＤ（Ｈａｒｄ  Ｄｉｓｋ  Ｄｒｉｖｅ）１１およびＨＤＤ１１への画像データの蓄積およびＨＤＤ１１からの画像データの読み出しを制御するＨＤＤコントローラ（蓄積制御部）１２ｂを備え、ＨＤＤコントローラ１２ｂによるＨＤＤ１１に蓄積する画像データに、ＲＧＢ→ＣＭＹＫ変換、ＪＰＥＧ（Ｊｏｉｎｔ  Ｐｈｏｔｏｇｒａｐｈｉｃ  Ｅｘｐｅｒｔｓ  Ｇｒｏｕｐ）圧縮／伸長、画像回転等の画像処理を行う第１画像処理部として機能する画像処理ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２ａを有している。このように、ＨＤＤコントローラ１ｂが、画像処理ＡＳＩＣ１２ａにより画像処理が行われた画像データをＨＤＤ１１に蓄積することにより、ＨＤＤ１１に蓄積された画像データを再利用することができる。
【００１３】
なお、本実施の形態では、画像処理ＡＳＩＣ１２ａは、画像処理を行う際に、ＣＰＵ１４に接続されるＭｅｍｏｒｙ１５を使用するものとする。また、本実施の形態では、オプション基板１２は、ＨＤＤ１１を着脱可能なコネクタ（図示しない）を有しているものとする。さらに、オプション基板１２および基板１３は、ＰＣＩ（Ｐｅｒｉｐｈｅｒａｌ  Ｃｏｍｐｏｎｅｎｔ  Ｉｎｔｅｒｃｏｎｎｅｃｔ）−Ｅｘｐｒｅｓｓを２ｃｈ備えており、１つはＣＰＵ１４と接続され、もう一つはＥｎｇｉｎｅ２０（Ｓｃａｎｎｅｒ  ＡＳＩＣ２０ａ）に接続されている。
【００１４】
ＣＰＵ１４は、複合機１００の全体制御をおこなうものであり、オプション基板１２（または基板１３）、Ｍｅｍｏｒｙ１５、Ｅｔｈｅｒｎｅｔ（登録商標）１６、ＵＳＢ１７、Ｆｌａｓｈ  Ｍｅｍｏｒｙ１８、操作部３０、ＦＣＵ４０が接続されている。また、ＣＰＵ１４は、ＰＣＩ−Ｅｘｐｒｅｓｓを介して、Ｅｎｇｉｎｅ２０（Ｐｌｏｔｔｅｒ  ＡＳＩＣ２０ｂ）と接続されており、オプション基板１２（または基板１３）から入力された画像データに誤差拡散やガンマ変換などの画像処理を行った後、当該画像データをＰｌｏｔｔｅｒ  ＡＳＩＣ２０ｂに出力する。
【００１５】
Ｍｅｍｏｒｙ１５は、プログラムやデータの格納用メモリ、プログラムやデータの展開用メモリ、プリンタの描画用メモリなどとして用いるシステムメモリであり、ＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）とからなる。ＲＯＭは、プログラムやデータの格納用メモリとして用いる読み出し専用のメモリであり、ＲＡＭは、プログラムやデータの展開用メモリ、プリンタの描画用メモリなどとして用いる書き込みおよび読み出し可能なメモリである。
【００１６】
Ｅｎｇｉｎｅ２０は、ＰＣＩ−Ｅｘｐｒｅｓｓを介して、オプション基板１２（または基板１３）と接続されたＳｃａｎｎｅｒ  ＡＳＩＣ２０ａを備える。Ｓｃａｎｎｅｒ  ＡＳＩＣ２０ａは、スキャナによる画像データの読み取りを制御し、スキャナにより読み取った画像データを、ＰＣＩ−Ｅｘｐｒｅｓｓを介して、オプション基板１２（または基板１３）に出力するものである。また、Ｓｃａｎｎｅｒ  ＡＳＩＣ２０ａは、オプション基板１２が備える画像処理ＡＳＩＣ８０ａ以外の別の画像処理部であって、ＨＤＤ１１およびオプション基板１２が装着されていない場合にＲＧＢ→ＣＭＹＫ変換等の必要最低限の画像処理を行う第２画像処理部としても機能するものである。
【００１７】
また、Ｅｎｇｉｎｅ２０は、ＰＣＩ−Ｅｘｐｒｅｓｓを介して、ＣＰＵ１４と接続されたＰｌｏｔｔｅｒ  ＡＳＩＣ２０ｂを備える。Ｐｌｏｔｔｅｒ  ＡＳＩＣ２０ｂは、ＣＰＵ１４から入力された画像データのプロッタへの出力を制御するものである。
【００１８】
本実施の形態にかかる複合機１００のオペレータは、ＨＤＤ１１やオプション基板１２を備えている性能を重視したモデルの複合機１００を作成する場合には、ＨＤＤ１１およびオプション基板１２を装着し、ＨＤＤ１１やオプション基板１２を備えないコストを重視したモデルの複合機１００を作成する場合には、ＨＤＤ１１やオプション基板１２を装着せず、Ｓｃａｎｎｅｒ  ＡＳＩＣ２０ａで画像処理を行った画像データを、基板１３を介して、ＣＰＵ１４へ直接転送する。
【００１９】
図２および図３は、オプション基板の着脱に応じて行われる画像処理の一例を示す説明図である。オプション基板１２が装着されている場合、図２に示すように、前段の画像処理フローを行うＳｃａｎｎｅｒ  ＡＳＩＣ２０ａにおいて画像処理を行わずに、画像処理前の画像データ２０１がオプション基板１２に転送される。そして、オプション基板１２が備える画像処理ＡＳＩＣ１２ａが、ＲＧＢ→ＣＭＹＫ変換、ＪＰＥＧ圧縮／伸長、画像回転などの主な画像処理を画像データ２０１に行うとともに、画像処理を行った画像データ２０２を後段の画像処理フローを行うＣＰＵ１４に転送する。さらに、ＨＤＤコントローラ１２ｂは、画像処理ＡＳＩＣ１２ａで画像処理を行った画像データ２０２をＨＤＤ１１に蓄積する。その後、ＨＤＤコントローラ１２ｂは、操作部３０などで受け付けた画像データ２０２の出力要求に応じて、ＨＤＤ１１から画像データ２０２を読み出し、ＣＰＵ１４に転送する。これにより、オプション基板１２が装着されている場合、ＨＤＤ１１に蓄積した画像データを再利用することができる。
【００２０】
なお、オプション基板１２が装着されておらず、かつオプション基板１２の代わりに、Ｓｃａｎｎｅｒ  ＡＳＩＣ２０ａからＣＰＵ１４への画像データの転送のみを行う基板１３が装着されている場合、図３に示すように、前段の画像処理フローを行うＳｃａｎｎｅｒ  ＡＳＩＣ２０ａにおいてＲＧＢ→ＣＭＹＫ変換などの必要最低限の画像処理が行われた画像データ３０１が、基板１３に渡される。そして、基板１３は、後段の画像処理フローを行うＣＰＵ１４に画像データ３０１を転送する。
【００２１】
このように本実施の形態にかかる複合機１００によれば、ＨＤＤ１１の画像データの蓄積およびＨＤＤ１１からの画像データの読出しを制御するＨＤＤコントローラ１２ｂを備え、ＨＤＤコントローラ１２ｂによりＨＤＤ１１に蓄積する画像データに画像処理を行う画像処理ＡＳＩＣ１２ａを備えた着脱可能なオプション基板１２と、ＨＤＤ１１およびオプション基板１２が装着されていない場合に、画像データに画像処理を行うＳｃａｎｎｅｒ  ＡＳＩＣ２０ａを備えることにより、ＨＤＤ１１やオプション基板１２が装着されている状態と装着されていない状態とで複合機１００において行う画像処理を変えることができるので、ＨＤＤ１１やオプション基板１２が装着されていない状態におけるコストの優位性を十分に生かすことができる。また、複合機１００のモデルごとに画像処理を行う基板を設計する必要がなくなるので、ＨＤＤ１１やオプション基板１２を備える性能を重視したモデルと、ＨＤＤ１１やオプション基板１２を備えないコストを重視したモデルと、を１つの基板で実現することができ、かつ市場においてＨＤＤ１１やオプション基板１２を容易に追加することができる。
【００２２】
（第２実施の形態）
本実施の形態は、ＨＤＤ１１の故障時に特別な動作をすることなく、ＨＤＤ１１やオプション基板１２が装着されていないときの動作で、複合機１００の稼動を続けるものである。なお、第１実施の形態と同様箇所の説明は省略し、第１実施の形態と異なる箇所についてのみ説明する。
【００２３】
図４は、ＨＤＤの故障の有無に応じて行われる画像処理の一例を示す説明図である。ＨＤＤ１１に故障が有る場合、図４に示すように、前段の画像処理フローを行うＳｃａｎｎｅｒ  ＡＳＩＣ２０ａが、画像処理ＡＳＩＣ１２ａの代わりにＲＧＢ→ＣＭＹＫ変換などの必要最低限の画像処理を行い、必要最低限の画像処理を行った画像データ４０１をオプション基板１２に転送する。そして、オプション基板１２が備える画像処理ＡＳＩＣ１２ａは、画像処理を行わずに、画像データ４０２をそのままオプション基板１２から後段の画像処理フローを行うＣＰＵ１４に転送する。つまり、画像データ４０１と画像データ４０２とは同一の画像データとなる。
【００２４】
従来、ＨＤＤを備えた画像処理装置においてＨＤＤに故障が生じた場合、その画像処理装置は動作することができなかった。若しくは、ＨＤＤが故障した状態で画像処理装置を動作させようとした場合、ＨＤＤが故障したときのための新たな処理を行えるようにしておかなければならなかった。しかし、本実施の形態にかかる複合機１００によれば、ＨＤＤ１１に故障が有る場合に、画像処理ＡＳＩＣ１２ａによる画像処理を行わずに、ＣＰＵ１４に転送することにより、ＨＤＤ１１の故障時の特別な動作を行うことなく、オプション基板１２が装着されていないときの動作で複合機１００の稼働を続けることができる。つまり、ＨＤＤ１１が故障したときのために新たな処理を用意していなくても、ＨＤＤ１１故障時の動作が可能となる。
【００２５】
次に、図５を用いて、ＨＤＤ１１の故障の有無に応じて行われる画像処理の流れについて説明する。図５は、ＨＤＤの故障の有無に応じて行われる画像処理の流れを示すフローチャートである。
【００２６】
Ｓｃａｎｎｅｒ  ＡＳＩＣ２０ａは、スキャナにより読み取った画像データが入力されると、ＨＤＤ１１およびオプション基板１２が装着されているか否かを判断する（ステップＳ５０１）。ＨＤＤ１１およびオプション基板１２が装着されていないと判断した場合（ステップＳ５０１：Ｎｏ）、Ｓｃａｎｎｅｒ  ＡＳＩＣ２０ａ、基板１３、およびＣＰＵ１４は、ＨＤＤ１１およびオプション基板１２が装着されていない場合の画像処理フロー（図３に示す）で動作する（ステップＳ５０４）。
【００２７】
ＨＤＤ１１およびオプション基板１２が装着されていると判断した場合（ステップＳ５０１：Ｙｅｓ）、Ｓｃａｎｎｅｒ  ＡＳＩＣ２０ａは、ＨＤＤ１１の故障の有無を判断する（ステップＳ５０２）。そして、ＨＤＤ１１に故障が有ると判断した場合（ステップＳ５０２：Ｙｅｓ）、Ｓｃａｎｎｅｒ  ＡＳＩＣ２０ａ、オプション基板１２、およびＣＰＵ１４は、ＨＤＤ１１に故障が有る場合の画像処理フロー（図４に示す）で動作する（ステップＳ５０４）。
【００２８】
ＨＤＤ１１に故障が無いと判断した場合（ステップＳ５０２：Ｎｏ）、Ｓｃａｎｎｅｒ  ＡＳＩＣ２０ａ、オプション基板１２、およびＣＰＵ１４は、ＨＤＤ１１およびオプション基板１２が装着された場合の画像処理フロー（図２に示す）で動作する（ステップＳ５０３）。
【００２９】
このように本実施の形態にかかる複合機１００によれば、ＨＤＤ１１に故障が有る場合に、画像処理ＡＳＩＣ１２ａによる画像処理を行わずに、ＣＰＵ１４に転送することにより、ＨＤＤ１１の故障時に特別な動作を行うことなく、オプション基板１２が装着されていないときの動作で複合機１００の稼動を続けることができる。
【００３０】
（第３実施の形態）
本実施の形態は、消費電力を削減する省電力モードがオンされた場合に、ＨＤＤ１１や画像処理ＡＳＩＣ２０ａへのアクセスをなくすことで、消費電力を削減するものである。なお、上述の実施の形態と同様箇所の説明は省略し、上述の実施の形態と異なる箇所についてのみ説明する。
【００３１】
図６は、省電力モードのオン／オフに応じて行われる画像処理の一例を示す説明図である。操作部３０が操作されて省電力モードがオンされている場合（または複合機１００に接続されたＰＣからユーザが省電力モードをオンした場合）、ＨＤＤ１１およびオプション基板１２が装着されているか否かに関わらず、図６に示すように、前段の画像処理フローを行うＳｃａｎｎｅｒ  ＡＳＩＣ２０ａが、画像処理ＡＳＩＣ１２ａの代わりにＲＧＢ→ＣＭＹＫ変換などの必要最低限の画像処理を行い、必要最低限の画像処理を行った画像データ６０１を、オプション基板１２に転送する。そして、オプション基板１２が備える画像処理ＡＳＩＣ１２ａは、画像処理を行わずに、画像データ６０２をそのままオプション基板１２から後段の画像処理フローを行うＣＰＵ１４に転送する。つまり、画像データ６０１と画像データ６０２とは同一の画像データとなる。また、本実施の形態にかかる複合機１００は、ＨＤＤ１１に故障が無くても、省電力モードがオンになっている場合には、ＨＤＤ１１に故障がある場合（図４に示す）と同様の振る舞いをする。
【００３２】
このように本実施の形態にかかる複合機１００によれば、省電力モードがオンされた場合に、画像処理ＡＳＩＣ１２ａの代わりにＳｃａｎｎｅｒ  ＡＳＩＣ２０ａが必要最低限の画像処理を画像データに行うことにより、省電力モードがオンになっている場合に、画像処理ＡＳＩＣ１２ａおよびＨＤＤ１１へのアクセスをなくすことができるので、消費電力を削減することができる。
【００３３】
（第４実施の形態）
本実施の形態は、ＨＤＤ１１の故障時期が近い場合に、ＨＤＤ１１の使用を避けることで、ＨＤＤ１１の故障によるユーザデータの喪失を防止するものである。なお、上述の実施の形態と同様箇所の説明は省略し、上述の実施の形態と異なる箇所についてのみ説明する。
【００３４】
図７は、第４実施の形態にかかる複合機で実行されるプログラムのモジュール構成を示すブロック図である。本実施の形態にかかる複合機１００で実行されるプログラムは、図７に示す予測部７０１を含むモジュール構成となっており、実際のハードウェアとしてはＣＰＵ（プロセッサ）１４がＭｅｍｏｒｙ（ＲＯＭ）１５からプログラムを読み出して実行することにより予測部７０１が主記憶装置上にロードされ、予測部７０１が主記憶装置上に生成されるようになっている。
【００３５】
なお、本実施の形態の複合機１００で実行されるプログラムは、ＲＯＭ等に予め組み込まれて提供される。本実施の形態の複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００３６】
さらに、本実施の形態の複合機１００で実行されるプログラムを、インターネット等のネットワークに接続されたコンピュータ上に格納し、ネットワーク経由でダウンロードさせることにより提供するように構成してもよい。また、本実施形態の複合機１００で実行されるプログラムをインターネット等のネットワーク経由で提供または配布するように構成してもよい。
【００３７】
予測部７０１は、Ｓ．Ｍ．Ａ．Ｒ．Ｔ（Ｓｅｌｆ−Ｍｏｎｉｔｏｒｉｎｇ  Ａｎａｌｙｓｉｓ  ａｎｄ  Ｒｅｐｏｒｔｉｎｇ  Ｔｅｃｈｎｏｌｏｇｙ）情報、ＨＤＤ１１へのアクセス回数、ＨＤＤ１１の通電時間などから、ＨＤＤ１１の故障時期を予測するものである。
【００３８】
予測部７０１により予測した故障時期が近い場合、ＨＤＤ１１の使用を避けるため、前段の画像処理フローを行うＳｃａｎｎｅｒ  ＡＳＩＣ２０ａが、画像処理ＡＳＩＣ１２ａの代わりにＲＧＢ→ＣＭＹＫ変換などの必要最低限の画像処理を画像データに行い、必要最低限の画像処理を行った画像データを、オプション基板１２に転送する。そして、オプション基板１２が備える画像処理ＡＳＩＣ１２ａは、画像処理を行わずに、画像データをそのままオプション基板１２から後段の画像処理フローを行うＣＰＵ１４に転送する。つまり、本実施の形態にかかる複合機１００は、ＨＤＤ１１に故障が無くても、予測した故障時期が近い場合には、ＨＤＤ１１に故障がある場合（図４に示す）と同様の振る舞いをする。
【００３９】
このように本実施の形態にかかる複合機１００によれば、予測したＨＤＤ１１の故障時期が近い場合に、画像処理ＡＳＩＣ１２ａの代わりにＳｃａｎｎｅｒ  ＡＳＩＣ２０ａが必要最低限の画像処理を画像データに行うことにより、ＨＤＤ１１が故障する前にＨＤＤ１１の使用を避けることができるので、ＨＤＤ１１の故障によるユーザデータの喪失を防止することができる。
【００４０】
（第５実施の形態）
本実施の形態は、ＨＤＤ１１への画像データの蓄積を行わない間の消費電力を削減するものである。なお、上述の実施の形態と同様箇所の説明は省略し、上述の実施の形態と異なる箇所についてのみ説明する。
【００４１】
図８は、第５実施の形態にかかる複合機のハードウェア構成を示すブロック図である。本図に示すように、本実施の形態にかかる複合機８００は、図１に示す複合機１００の構成に加えて、複合機８００に接続されたホスト（ＰＣ）９００（図９参照）から出力されるオン／オフ制御信号に従って、ＨＤＤ１１への電源の供給を制御するＦＥＴ（Ｆｉｅｌｄ  Ｅｆｆｅｃｔ  Ｔｒａｎｓｉｓｔｏｒ）などのＨＤＤ電源オン／オフ手段８０１を備えている。
【００４２】
ホスト９００は、ＨＤＤコントローラ１２ｂによるＨＤＤ１１への画像データの蓄積を行わない場合、ＨＤＤ１１への電源の供給を停止するためのオン／オフ制御信号をＨＤＤ電源オン／オフ手段８０１に出力して、ＨＤＤ電源オン／オフ手段８０１によりＨＤＤ１１への電源の供給を停止する。
【００４３】
図９は、ＨＤＤへの電源の供給の停止に応じて行われる画像処理の一例を示す説明図である。ホスト９００からのオン／オフ制御信号に応じてＨＤＤ電源オン／オフ手段８０１によりＨＤＤ１１への電源の供給が停止された場合、図９に示すように、前段の画像処理フローを行うＳｃａｎｎｅｒ  ＡＳＩＣ２０ａが、画像処理ＡＳＩＣ１２ａの代わりにＲＧＢ→ＣＭＹＫ変換などの必要最低限の画像処理を画像データに行い、必要最低限の画像処理を行った画像データ９０１をオプション基板１２に転送する。そして、オプション基板１２が備える画像処理ＡＳＩＣ１２ａは、画像処理を行わずに、画像データ９０２をそのままオプション基板１２から後段の画像処理フローを行うＣＰＵ１４に転送する。
【００４４】
このように本実施の形態にかかる複合機８００によれば、ＨＤＤ１１が装着されていても、ＨＤＤコントローラ１２ｂによるＨＤＤ１１への画像データの蓄積を行わない場合、ＨＤＤ電源オン／オフ手段８０１によりＨＤＤ１１への電源の供給を停止することにより、ＨＤＤ１１に画像データが蓄積されない間の消費電力を削減することができる。
【００４５】
（第６実施の形態）
本実施の形態は、ＨＤＤ１１を交換すべきことをユーザに知らせるものである。なお、上述の実施の形態と同様箇所の説明は省略し、上述の実施の形態と異なる箇所についてのみ説明する。
【００４６】
図１０は、第６実施の形態にかかる複合機で実行されるプログラムのモジュール構成を示すブロック図である。本実施の形態にかかる複合機１００で実行されるプログラムは、図１０に示すように、予測部７０１および通知部１００１を含むモジュール構成となっている。なお、予測部７０１については、第４実施の形態において説明したため、ここでは説明を省略する。
【００４７】
通知部１００１は、ＨＤＤ１１が故障した場合、または予測部７０１により予測された故障時期が近い場合に、操作部３０への表示、ブザー音での警告、ＬＥＤ（Ｌｉｇｈｔ  Ｅｍｉｔｔｉｎｇ  Ｄｉｏｄｅ）等の光での警告、Ｅ−ｍａｉｌによる通知等により、ＨＤＤ１１の交換を促すものである。これにより、ユーザは、ＨＤＤ１１が故障していて、ＨＤＤ１１を交換すべきであることを知ることができる。なお、ＨＤＤ１１の交換が行われた場合、ＨＤＤコントローラ１２ｂは、古いＨＤＤから新しいＨＤＤへ、画像データなどのデータを移動させるものとする。
【００４８】
このように本実施の形態にかかる複合機１００によれば、ＨＤＤ１１が故障した場合またはＨＤＤ１１の故障時期が近い場合に、ユーザに対してＨＤＤ１１の交換を促すことにより、ＨＤＤ１１が故障または故障時期が近く、ＨＤＤ１１を交換すべきことをユーザが知ることができる。
【００４９】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００５０】
１１  ＨＤＤ
１２  オプション基板
１２ａ  画像処理ＡＳＩＣ
１２ｂ  ＨＤＤコントローラ
２０ａ  Ｓｃａｎｎｅｒ  ＡＳＩＣ
１００，８００  複合機
７０１  予測部
８０１  ＨＤＤ電源オン／オフ手段
１００１  通知部
【先行技術文献】
【特許文献】
【００５１】
【特許文献１】特開２００５−２５８７８３号公報
【図１−１】
2010288010.tif 000003
【図１−２】
2010288010.tif 000004
【図２】
2010288010.tif 000005
【図３】
2010288010.tif 000006
【図４】
2010288010.tif 000007
【図５】
2010288010.tif 000008
【図６】
2010288010.tif 000009
【図７】
2010288010.tif 000010
【図８】
2010288010.tif 000011
【図９】
2010288010.tif 000012
【図１０】
2010288010.tif 000013